(57)【特許請求の範囲】
【請求項１】
直管状の縦管本体部の上部に複数の流入管が高低差を有するように接続され、下端部に流出管が接続されている案内路付縦管であって、前記縦管本体部の内部に、空気芯筒が、その上端が最上位の流入管の管頂よりも上まで延出され、その下端が最下位の流入管の管底と前記流出管の管頂との中間に達するように立設され、前記縦管本体部の内周面と最下位の流入管の管底よりも下方の前記空気芯筒との間に螺旋案内路が配設されていることを特徴とする案内路付縦管。
【発明の詳細な説明】
【０００１】
【発明の属する技術分野】
本発明は、自然流下式の垂直下水道管路に使用して好適な案内路付縦管に関するものである。
【０００２】
【従来の技術】
従来、例えば、実開平４─５３８４２号公報に記載されているように、マンホールの側壁からマンホール内に突出された流入管の一端に曲り管を介して縦管の上端を接続し、縦管の下端をマンホール内の底部に設置して流入管によりマンホール内に流入された下水を縦管によりマンホール内の底部に導入することが知られている。
【０００３】
しかしながら、このようにマンホール内に設けられる縦管が長い場合には、縦管下端から流出される下水の落下衝撃が大きいためにマンホールの底部を損傷するおそれがある。
【０００４】
そこで、例えば、特開平８─４１９１５号公報に記載され、図４に示すように、縦管本体ａ内面に沿って上端から下端まで螺旋状に形成された屈曲流下路が設けられた下水道用縦管が提案されている。
この下水道用縦管の上端に十字型継手ｂが接続され、その十字型継手を介してマンホールｃ内に導入された流入管ｄの一端が接続されて、流入管ｄ内の下水は継手ｂを経由して下水道用縦管内に導入されるようになっている。
【０００５】
しかしながら、実際には、マンホールｃ内には、複数の流入管が高低差を有するように導入される場合が多く、このような場合には、上記のように縦管本体内面に沿って上端から下端まで螺旋状に形成された屈曲流下路が設けられた下水用縦管を用いて、その途中に下位の流入管を接続すると、その接続部付近にゴミが溜まり易く、又、流れを阻害するという問題点がある。
【０００６】
【発明が解決しようとする課題】
本発明は、このような従来の問題点を解決することを目的としてなされたものであって、高低差を有するように接続された複数の流入管から流入する下水の落下衝撃によりマンホールの底部を破損するおそれがなく、且つ、下位の流入管から流入する下水の流れを阻害したりゴミがたまるおそれのない案内路付縦管を提供することを目的としてなされたものである。
【０００７】
【課題を解決するための手段】
本発明は、直管状の縦管本体部の上部に複数の流入管が高低差を有するように接続され、下端部に流出管が接続されている案内路付縦管であって、前記縦管本体部の内部に、空気芯筒が、その上端が最上位の流入管の管頂よりも上まで延出され、その下端が最下位の流入管の管底と前記流出管の管頂との中間に達するように立設され、前記縦管本体部の内周面と最下位の流入管の管底よりも下方の前記空気芯筒との間に螺旋案内路が配設されている案内路付縦管である。
【０００８】
本発明において、空気芯筒は、上位の流入管から流入する下水がその中に入り込んで塞ぐことがないように、最上位の流入管の管頂よりも上まで延出されている必要がある。
【０００９】
本発明において、最上位の流入管の管底と最下位の流入管の管底との高低差は、７ｍ以内が好ましい。
本発明において、縦管本体部の材質としては、強度や剛性等の点からは、強化プラスチックモルタル（以下、ＦＲＰＭという）等が好ましい。又、空気芯筒や螺旋案内路の材質としては、強度や加工性等の面からは、強化プラスチック（ＦＲＰ）等が好ましい。流入管や流出管の材質としては、強度や加工性等の面からはＦＲＰが好ましいが、汎用のプラスチックであってもよい。
【００１０】
【作用】
本発明の案内路付縦管は、縦管本体部の内部に、空気芯筒が、その上端が最上位の流入管の管頂よりも上まで延出され、その下端が最下位の流入管の管底と前記流出管の管頂との中間に達するように立設され、前記縦管本体部の内周面と最下位の流入管の管底よりも下方の前記空気芯筒との間に螺旋案内路が配設されていることにより、下水は螺旋状に流下する間に減衰された状態となり、従って、流下する下水によってマンホールの底部に強い衝撃が加わるおそれがなく、又、最下位の流入管の管底より上の部分には螺旋案内路が配設されていないことによって、最下位の流入管から縦管本体部内に流入した下水の流れを阻害したりゴミがたまることがなく、上位の流入管から流入する下水が空気芯筒に入り込むことがなく、螺旋案内路の下方の空気が上方に排気されるので、縦管本体部内を流下する下水を流れを螺旋状に流れるようにスムーズに形成することができる。
【００１１】
【発明の実施の形態】
以下、本発明の実施の形態を、図面を参照して説明する。
図１は、本発明の案内路付縦管の一例を示す断面図である。
この案内路付縦管１０は、縦管本体部１１と、空気芯筒１３と、螺旋案内路１２，１２′とからなる。
【００１２】
縦管本体部１１は、ＦＲＰＭ複合管によって形成され、上部には、略水平方向からＦＲＰ製の上位流入管２０とＦＲＰ製の下位流入管３０とが高低差を有するように接続され、下端部にはＦＲＰ製の流出管４０が接続されている。
縦管本体部１１の内部には、略中心部に、内部が中空とされたＦＲＰ製の空気芯筒１３が、その上端が上位流入管２０の管頂よりも上まで延出され、下端が下位流入管３０の管底と流出管４０の管頂との中間に達するように立設されている。
【００１３】
縦管本体部１１の内周面と、下位流入管３０の管底よりも下方の空気芯筒１３の外周面との間（図中Ｌ1 区間）に、ＦＲＰ製の第１の螺旋案内路１２が配設されている。螺旋案内路１２の内周面は、空気芯筒１３の外周面に一体的に取り付けられている。
【００１４】
螺旋案内路１２の外周縁には、図２に示すように、その全長にわたって、ゴム製の帯状の弾性体１４が接着剤により一体的に接着されている。この弾性体１４は縦管本体部１１の内周面に圧接されることによって、螺旋案内路１２を縦管本体部１１内に支持している。
【００１５】
流出管４０の管頂のやや上方の縦管本体部１１の内部（図中ＬＴ3 区間）には、ＦＲＰ製の第２の螺旋案内路１２′が配設されている。
第２の螺旋案内路１２′の外周縁には、上記と同様の弾性体が接着剤により一体的に接着されている。
第２の螺旋案内路１２′は、空気芯筒１３には取り付けられていない。
【００１６】
縦管本体部１１の内部の第１の螺旋案内路１２と第２の螺旋案内路１２′間（図中Ｌ2 区間）には、螺旋案内路は配設されておらず、又、下位流入管３０の管底より上の部分には螺旋案内路が配設されていない。
【００１７】
このように、第１の螺旋案内路１２と第２の螺旋案内路１２′を適宜間隔をおいて設けるようにすると、第１の螺旋案内路１２と第２の螺旋案内路１２′の螺旋のピッチを適宜選択することにより、縦管本体部１１の長さや複数の流入管の高低差に応じて、縦管本体部１１内を螺旋状に流下させる下水の速度を適宜調節することができるので好ましいが、第２の螺旋案内路１２′の代わりに、第１の螺旋案内路１２が縦管本体部１１の下端まで配設されていても何ら構わない。
【００１８】
以下、図１に示す案内路付縦管の使用態様を図３を参照して説明する。
このような案内路付縦管１０は、例えば、下水道用の縦管として、マンホール５０内に垂直に配設され、上位流入管２０と下位流入管３０とが、縦管本体部１１から略水平方向にマンホール５０の壁部を貫通すにように配管されて使用される。
【００１９】
マンホール５０内に進入する下水は、上位流入管２０と下位流入管３０より縦管本体部１１内に流入し、Ｌ1 区間内を第１の螺旋案内路１２に沿って螺旋状に流下した後、Ｌ2 区間内を慣性力により螺旋状を維持しつつ流下し、再びＬ3 区間を第２の螺旋案内路１２′に沿って螺旋状に流下する。下水は螺旋状に流下する間に減衰された状態となり、従って、流下する下水によってマンホール５０の底部に強い衝撃が加わるおそれがない。縦管本体部１１の下端に達した下水は、流出管４０からマンホール５０の流出口５１を経て暗渠配管に排出される。
【００２０】
この際、上位流入管２０から下位流入管３０の間には螺旋案内路が配設されていないので、下位流入管３０から縦管本体部１１内に流入した下水の流れを阻害したりゴミがたまることがない。
【００２１】
又、縦管本体部１１の内部に、空気芯筒１３がその上部から少なくとも下位流入管３０の管底よりも下方に達するように立設されていることにより、第１の螺旋案内路１２の下方の空気が縦管本体部１１の内部上方に排気されるので、縦管本体部１１内を流下する下水を流れを螺旋状に流れるようにスムーズに形成することができる。
【００２２】
更に、空気芯筒１３は上位流入管２０の管頂よりも上まで延出されていると、上位流入管２０から流入する下水が空気芯筒１３に入り込むことがないので、第１の螺旋案内路１２の下方の空気を縦管本体部１１の内部上方に確実に排気して、縦管本体部１１内を流下する下水を流れを螺旋状に流れるようにスムーズに形成することができる。
【００２３】
【発明の効果】
本発明１の案内路付縦管は、上記のとおりにされているので、高低差を有するように接続された複数の流入管から流入する下水の落下衝撃によりマンホールの底部を破損するおそれがなく、且つ、下位の流入管から流入する下水の流れを阻害したりゴミがたまるおそれがなく、縦管本体部内を流下する下水を流れを螺旋状に流れるようにスムーズに形成することができる。
【図面の簡単な説明】
【図１】本発明の案内路付縦管の一例を示す断面図である。
【図２】図１に示す案内路付縦管に使用される螺旋案内路に全長にわたって弾性体が取り付けられている状態を示す正面図である。
【図３】図１に示す下水縦管の使用態様を説明する断面図である。
【図４】従来の案内路付縦管の一例を示す断面図である。
【符号の説明】
１０  案内路付縦管
１１  縦管本体部
１２  螺旋案内路
１３  空気芯筒
１４  弾性体
２０  上位流入管
３０  下位流入管
４０  流出管
【図１】
0003561393.tif 000002
【図２】
0003561393.tif 000003
【図３】
0003561393.tif 000004
【図４】
0003561393.tif 000005